(57)【要約】      （修正有）【課題】使用後のノズル先端部分に直接触れることなく、かつ簡便にノズル先端部分の着脱が可能である局部洗浄装置を提供する。【解決手段】ノズル本体に取り付けられたノズル先端部材２を水洗便器Ｘまたは洗浄便座Ｙの外部に露出させて保持する状態と、水洗便器Ｘまたは洗浄便座Ｙの内部に収納して保持する状態とを切り替え可能な、水洗便器Ｘまたは洗浄便座Ｙに取り付けられるノズル保持部材４と、ノズル先端部材２を外側から覆うカバー部とノズル先端部材２に取り外し可能に固定される固定部とを有する着脱キャップ部材と、を備え、ノズル保持部材４によってノズル先端部材２が水洗便器Ｘまたは洗浄便座Ｙの外部に露出して保持された状態で、着脱キャップ部材がノズル先端部材２に装着され、着脱キャップ部材と一緒にノズル先端部材２がノズル本体に着脱される。【選択図】図２
2017020200.tif 000002
【特許請求の範囲】
【請求項１】
洗浄水を人体の局部に噴射する噴射孔を有するノズル先端部材と、前記ノズル先端部材が着脱自在に取り付けられるノズル本体と、を備える局部洗浄装置において、
前記ノズル本体を固定支持して、前記ノズル本体に取り付けられた前記ノズル先端部材を水洗便器または洗浄便座の外部に露出させて保持する状態と、前記水洗便器または前記洗浄便座の内部に収納して保持する状態とを切り替え可能な、前記水洗便器または前記洗浄便座に取り付けられるノズル保持部材と、
前記ノズル先端部材を外側から覆うカバー部と前記ノズル先端部材に取り外し可能に固定される固定部とを有する着脱キャップ部材と、を備え、
前記ノズル保持部材によって前記ノズル先端部材が前記水洗便器または前記洗浄便座の外部に露出して保持された状態で、前記着脱キャップ部材が前記ノズル先端部材に装着され、前記着脱キャップ部材と一緒に前記ノズル先端部材が前記ノズル本体に着脱されることを特徴とする局部洗浄装置。
【請求項２】
前記係合部が、前記カバー部の内面に設けられた嵌合凸部であり、前記ノズル先端部材が、その外面に、前記突起と嵌合する嵌合凹部を有することを特徴とする請求項１に記載の局部洗浄装置。
【請求項３】
前記係合部が、ハンドル部を操作することにより前記カバー部の内面への突出量を変更可能に形成された突起部であり、前記ノズル先端部材が、その外面に、前記突起部と係合する係合凹部を有することを特徴とする請求項１に記載の局部洗浄装置。
【請求項４】
前記カバー部が弾性体で形成されることにより、前記カバー部が前記係合部を構成することを特徴とする請求項１に記載の局部洗浄装置。
【請求項５】
請求項１〜４のうちのいずれか一項に記載の局部洗浄装置を備える水洗便器であって、前記ノズル保持部材が便器本体に設けられたノズル収納部に取り付けられていることを特徴とする水洗便器。
【請求項６】
請求項１〜４のうちのいずれか一項に記載の局部洗浄装置を備える洗浄便座であって、前記ノズル保持部材が前記洗浄便座に設けられたノズル収納部に取り付けられていることを特徴とする洗浄便座。
【発明の詳細な説明】
【技術分野】
【０００１】
本発明は、局部洗浄装置ならびにこれを備えた水洗便器および洗浄便座に関する。
【背景技術】
【０００２】
トイレ装置の水洗便器または洗浄便座に搭載される局部洗浄装置においては、局部に洗浄水を噴射するノズルの先端部分の衛生度に関心が向けられており、これまでにも、ノズル先端部分をクリーニングして汚れを除去する観点から様々な提案がなされている。
【０００３】
例えば、特許文献１では、洗浄ノズルを、ノズル本体と、このノズル本体の外周を覆う筒状のノズルカバーとを有する構成とすることにより、ノズルクリーニングの効果を高めることが提案されている。また、特許文献２では、局部に洗浄水を噴射するノズル部材をノズル本体に着脱自在に構成することにより、ノズル部材を取り外してクリーニングできるようにすることが提案されている。特許文献３には、局部に洗浄水を噴射するノズル先端を覆うように装着されるノズルカバーが記載されており、ノズルカバーの交換が可能とされている。
【先行技術文献】
【特許文献】
【０００４】
【特許文献１】特開２００１−１３２０５５号公報
【特許文献２】実開昭６３−４５８８７号公報
【特許文献３】特開２００９−２８７３３０号公報
【発明の概要】
【発明が解決しようとする課題】
【０００５】
しかしながら、依然として、不特定多数の人が利用する公共施設や、一般家庭において、ノズル先端部分を共用することに対して不衛生な印象を持ったり、ノズル先端部分が共用であることが原因で局部洗浄装置を使用することに抵抗感を持ったりする場合があった。
【０００６】
また、特許文献２および３に記載されるように、ノズル部材やノズル先端部分に装着されるノズルカバーの交換が可能であっても、使用後のノズル部材やノズルカバーを交換するためには、当該ノズル部材やノズルカバーに直接触れなければならなかった。
【０００７】
本発明は、以上のとおりの事情に鑑みてなされたものであり、使用後のノズル先端部分に直接触れることなく、かつ簡便にノズル先端部分の着脱が可能である局部洗浄装置を提供することを目的としている。
【０００８】
また、本発明は、前記局部洗浄装置を備えた水洗便器および洗浄便座を提供することも目的としている。
【課題を解決するための手段】
【０００９】
上記の目的を達成するために、本発明の局部洗浄装置は、洗浄水を人体の局部に噴射する噴射孔を有するノズル先端部材と、前記ノズル先端部材が着脱自在に取り付けられるノズル本体と、を備える局部洗浄装置において、前記ノズル本体を固定支持して、前記ノズル本体に取り付けられた前記ノズル先端部材を水洗便器または洗浄便座の外部に露出させて保持する状態と、前記水洗便器または前記洗浄便座の内部に収納して保持する状態とを切り替え可能な、前記水洗便器または前記洗浄便座に取り付けられるノズル保持部材と、前記ノズル先端部材を外側から覆うカバー部と前記ノズル先端部材に取り外し可能に固定される固定部とを有する着脱キャップ部材と、を備え、前記ノズル保持部材によって前記ノズル先端部材が前記水洗便器または前記洗浄便座の外部に露出して保持された状態で、前記着脱キャップ部材が前記ノズル先端部材に装着され、前記着脱キャップ部材と一緒に前記ノズル先端部材が前記ノズル本体に着脱されることを特徴としている。
【００１０】
また、本発明の水洗便器は、前記局部洗浄装置を備える水洗便器であって、前記ノズル保持部材が便器本体に設けられたノズル収納部に取り付けられていることを特徴としている。
【００１１】
また、本発明の洗浄便座は、前記局部洗浄装置を備える洗浄便座であって、前記ノズル保持部材が前記洗浄便座に設けられたノズル収納部に取り付けられていることを特徴としている。
【発明の効果】
【００１２】
本発明によれば、使用後のノズル先端部分に直接触れることなく、かつ簡便にノズル先端部分の着脱が可能である局部洗浄装置が提供される。また、本発明によれば、前記局部洗浄装置を備えた水洗便器および洗浄便座が提供される。
【図面の簡単な説明】
【００１３】
【図１】本発明の実施形態に係る局部洗浄装置の模式図であり、（ａ）は分解斜視図であり、（ｂ）はノズル先端部材の断面図である。
【図２】（ａ）本発明の実施形態に係る局部洗浄装置を備えた水洗便器の一実施形態を示す部分模式斜視図である。（ｂ）本発明の実施形態に係る局部洗浄装置を備えた洗浄便座の一実施形態を示す部分模式斜視図である。
【図３】着脱キャップ部材によるノズル先端部材の着脱方式の第一の実施形態を示す模式図であり、（ａ）は斜視図、（ｂ）は断面図である。
【図４】着脱キャップ部材によるノズル先端部材の着脱方式の第二の実施形態を示す模式図であり、（ａ）は斜視図、（ｂ）は断面図である。
【図５】着脱キャップ部材によるノズル先端部材の着脱方式の第三の実施形態を示す模式図であり、（ａ）は斜視図、（ｂ）は断面図である。
【発明を実施するための形態】
【００１４】
以下、本発明の実施形態について、図面を参照しつつ詳細に説明する。
【００１５】
図１は、本発明の実施形態に係る局部洗浄装置の模式図であり、（ａ）は分解斜視図であり、（ｂ）はノズル先端部材の断面図である。図２（ａ）は、本発明の実施形態に係る局部洗浄装置を備えた水洗便器の一実施形態を示す部分模式斜視図であり、図２（ｂ）は、本発明の実施形態に係る局部洗浄装置を備えた洗浄便座の一実施形態を示す部分模式斜視図である。
【００１６】
図３は、着脱キャップ部材によるノズル先端部材の着脱方式の第一の実施形態を示す模式図であり、（ａ）は斜視図、（ｂ）は断面図である。図４は、着脱キャップ部材によるノズル先端部材の着脱方式の第二の実施形態を示す模式図であり、（ａ）は斜視図、（ｂ）は断面図である。図５は、着脱キャップ部材によるノズル先端部材の着脱方式の第三の実施形態を示す模式図であり、（ａ）は斜視図、（ｂ）は断面図である。
【００１７】
本実施形態に係る局部洗浄装置１は、図１（ａ）に示すように、洗浄水を人体の局部に噴射する噴射孔２１を有するノズル先端部材２と、ノズル先端部材２が着脱自在に取り付けられるノズル本体３とを備えている。また、局部洗浄装置１は、ノズル本体３を固定支持して、図２に示すように、ノズル本体３に取り付けられたノズル先端部材２を水洗便器Ｘまたは洗浄便座Ｙの外部に露出させて保持する状態と、水洗便器Ｘまたは洗浄便座Ｙの内部に収納して保持する状態（図示せず）とを切り替え可能な、水洗便器Ｘまたは洗浄便座Ｙに取り付けられるノズル保持部材４を備えている。また、局部洗浄装置１は、図３〜５に示すように、ノズル先端部材２を外側から覆うカバー部５１と、ノズル先端部材２に取り外し可能に固定される固定部５２とを有する着脱キャップ部材５を備えている。局部洗浄装置１においては、図２に示すように、ノズル保持部材４によってノズル先端部材２が水洗便器Ｘまたは洗浄便座Ｙの外部に露出して保持された状態で、図３〜５に示すように、着脱キャップ部材５がノズル先端部材２に装着される。そして、着脱キャップ部材５と一緒にノズル先端部材２がノズル本体３に着脱される。
【００１８】
より具体的には、本実施形態において、ノズル先端部材２は、図１に示すように、一方の端部が開口した円筒状体であり、開口していない側の端部が先端部を構成している。ノズル先端部材２の先端部には、噴射孔２１が設けられ、洗浄便座（図示せず）に座った使用者の局部に向けて洗浄水を噴射可能とされている。
【００１９】
ノズル先端部材２は、図１（ｂ）に示すように、開口している側の端部の内面において、第一突起部２２ａと第二突起部２２ｂとで構成される係合突起部２２が突設されている。第一突起部２２ａは、開口している側の端部から先端部の方向（紙面垂直方向）に延びている。第二突起部２２ｂは、開口している側の端部において、第一突起部２２ａの端部からさらに内側に突出するように設けられている。
【００２０】
ノズル本体３は、円筒形状の軸部３１と、軸部３１よりも外径の大きい円筒形状のベース部３２を組み合わせて構成されている。軸部３１には、ノズル先端部材２を装着した際の密封性を高めるために、パッキン材３３が設けられている。
【００２１】
ベース部３２の外面には、挿入溝３４ａと固定用溝３４ｂとで構成される溝部３４が設けられている。挿入溝３４ａは、ベース部３２の軸部３１側の端部から長さ方向（紙面垂直方向）に延びており、ノズル先端部材２をノズル本体３に装着する際にノズル先端部材２の係合突起部２２の出入り口となる。固定用溝３４ｂは、挿入溝３４ａと連続し、ベース部３２の周方向（紙面左右方向）に延びている。
【００２２】
また、ベース部３２の外面には、Ｌ字型となっている溝部３４の固定用溝３４ｂの上側に位置する係止片３５が設けられている。係止片３５は、ノズル先端部材２の第二突起部２２ｂを固定用溝３４ｂに嵌め込んだ際に、第一突起部２２ａの内面と係止片３５の外面とが当接するように形成されている。従って、係止片３５は、第一突起部２２ａの高さ（紙面左右方向の幅）に応じて、ベース部３２の外径よりも内側に勾配した形状とされている。
【００２３】
第一突起部２２ａおよび第二突起部２２ｂの幅（紙面貫通方向の幅）は、挿入溝３４ａおよび固定用溝３４ｂの幅に合わせて調節される。また、第一突起部２２ａの深さ（紙面垂直方向の長さ）は、挿入溝３４ａの長さに合わせて調節される。また、第二突起部２２ｂの深さ（紙面垂直方向の長さ）は、ノズル本体３の固定用溝３４ｂの幅に合わせて調節される。
【００２４】
ノズル先端部材２をノズル本体３に装着する際には、まず、係合突起部２２を挿入溝３４ａに沿って挿入する。次いで、ノズル先端部材２を固定用溝３４ｂに沿って回動させて、第二突起部２２ｂを固定用溝３４ｂに嵌め込む。すなわち、挿入溝３４ａは、ノズル先端部材２をノズル本体３に装着する際の差し込み深さを規定する役割を有している。また、第二突起部２２ｂと固定用溝３４ｂとの嵌合により、ノズル先端部材２はノズル本体３に確実に固定される。
【００２５】
ノズル先端部材２をノズル本体３から取り外す際には、ノズル先端部材２を固定用溝３４ｂに沿って挿入溝３４ａの方向に回動させ、次いで、挿入溝３４ａに沿って係合突起部２２を抜き去る。
【００２６】
このように、ノズル先端部材２は、簡便な手法でノズル本体３に着脱自在に取り付けられるように構成されている。なお、ノズル先端部材２およびノズル本体３は、例えば、樹脂材料により形成することができるが、これに限定されない。
【００２７】
ノズル保持部材４は、ノズル本体３のベース部３２と嵌合してノズル本体３を固定支持する嵌合部４１と、取付部４２とで構成されている。ノズル保持部材４は、図２に示すように、取付部４２が水洗便器Ｘまたは洗浄便座Ｙに取り付けられた際に、ノズル本体３に取り付けられたノズル先端部材２を水洗便器Ｘまたは洗浄便座Ｙの外部に露出させて保持する状態と、水洗便器Ｘまたは洗浄便座Ｙの内部に収納して保持する状態（図示せず）とを切り替え可能に構成されている。
【００２８】
例えば、図１（ａ）に示すように、取付部４２の側面部に回動軸４３を設けることによって、水洗便器Ｘまたは洗浄便座Ｙに取り付けられた際にノズル保持部材４が回動自在となるようにすることができる。
【００２９】
なお、図１（ａ）においては、取付部４２が直方体形状である場合について示しているが、取付部４２の形状はこれに限定されない。また、ノズル保持部材４によってノズル先端部材２の保持状態を切り替える方法については、上述した機構に限定されず、適宜設計変更が可能である。
【００３０】
次に、本実施形態に係る局部洗浄装置１における、着脱キャップ部材５によるノズル先端部材２の着脱方式について、図３〜図５を参照して説明する。なお、図３〜図５に示す各実施形態において、図１に示したノズル先端部材２およびノズル本体３と同様の構成については同一の符号を付し、以下ではその説明を省略する。
【００３１】
着脱キャップ部材５は、一方の端部が開口した円筒状体であり、ノズル先端部材２を外側から覆うカバー部５１と、ノズル先端部材２に取り外し可能に固定される固定部５２とを備えている。なお、着脱キャップ部材５の形状は、ノズル先端部材２の形状に応じて適宜設計される。
【００３２】
本実施形態に係る局部洗浄装置１においては、図２に示すように、ノズル保持部材４によってノズル先端部材２が水洗便器Ｘまたは洗浄便座Ｙの外部に露出して保持された状態で、図３〜図５に示すように、着脱キャップ部材５がノズル先端部材２に装着される。そして、着脱キャップ部材５と一緒にノズル先端部材２がノズル本体３に着脱される。
【００３３】
より具体的には、図３に示す第一の実施形態では、着脱キャップ部材５Ａは、カバー部５１の内面に、嵌合凸部５２Ａが突設されている。また、ノズル先端部材２Ａには、その外面に、嵌合凸部５２Ａと嵌合する嵌合凹部２３が設けられている。嵌合凸部５２Ａは、着脱キャップ部材５Ａの内面において、対向する位置に間隔を空けて設けられていてもよく、また、着脱キャップ部材５Ａの内面全体に渡って設けられていてもよい。嵌合凹部２３の形状、位置、数等は、着脱キャップ部材５Ａをノズル先端部材２Ａに装着した際に、嵌合凸部５２Ａと嵌合可能となるように適宜調節される。
【００３４】
着脱キャップ部材５Ａを用いてノズル先端部材２Ａをノズル本体３に取り付ける際には、まず、着脱キャップ部材５Ａをノズル先端部材２Ａの先端部から装着して、嵌合凸部５２Ａと嵌合凹部２３とを嵌め合わせる。そして、着脱キャップ部材５Ａと一緒にノズル先端部材２Ａの係合突起部２２をノズル本体の溝部３４に挿入し、次いで、着脱キャップ部材５Ａを固定用溝３４ｂに沿って回動させることによって、ノズル先端部材２Ａの第二突起部２２ｂを固定用溝３４ｂに嵌め込む。
【００３５】
ノズル先端部材２Ａをノズル本体３に取り付けた後、着脱キャップ部材５Ａは、例えば、着脱キャップ部材５Ａを回動させることによって、嵌合凸部５２Ａと嵌合凹部２３との嵌め合いを解消して、ノズル先端部材２Ａから取り外すことができる。
【００３６】
また、ノズル先端部材２Ａをノズル本体３から取り外す際には、上述のようにして着脱キャップ部材５Ａをノズル先端部材２Ａに装着した後、着脱キャップ部材５Ａを固定用溝３４ｂに沿って挿入溝３４ａの方向に回動させる。次いで、着脱キャップ部材５Ａを、挿入溝３４ａに沿って引き抜くことによって、ノズル先端部材２Ａの係合突起部２２を抜き去る。
【００３７】
このように、着脱キャップ部材５Ａを用いることによって、ノズル先端部材２Ａに直接触れることなく、ノズル先端部材２Ａを着脱することができる。
【００３８】
ここで、本実施形態において、着脱キャップ部材５Ａは、図３（ｂ）に示すように、開口していない側の端部の内面に、突起部５３を有していてもよい。突起部５３は、着脱キャップ部材５Ａがノズル先端部材２Ａに装着された際に、ノズル先端部材２Ａの先端部と接触するように形成されている。これによって、着脱キャップ部材５Ａとノズル先端部材２Ａとの一体性がより高まり、着脱キャップ部材５Ａの回動に合わせてノズル先端部材２Ａが回動しやすくなる。このように、突起部５３は、着脱キャップ部材５Ａのみが回動することを抑制する、いわゆる回り止めとして機能する。
【００３９】
次に、図４に示す第二の実施形態について説明する。
【００４０】
本実施形態において、着脱キャップ部材５Ｂは、カバー部５１の対向する位置に、ハンドル部５４および開口部５５が設けられている。また、ノズル先端部材２Ｂには、その外面に、後述するハンドル部５４の突起部５４ａと係合する係合凹部２４が設けられている。
【００４１】
ハンドル部５４は、図４（ｂ）に示すように、一方の先端に突起部５４ａを有する本体部５４ｂと、本体部５４ｂの中央付近から延びる軸部５４ｃと、着脱キャップ部材５Ｂに回動可能に固定される回動軸５４ｄとを備えている。
【００４２】
突起部５４ａは、開口部５５から着脱キャップ部材５Ｂの内側に突出するように形成されており、ノズル先端部材２Ｂの係合凹部２４と係り合うように形成されている。
【００４３】
着脱キャップ部材５Ｂのカバー部５１への、突起部５４ａの突出量は、ハンドル部５４を操作することにより変更可能とされている。すなわち、本体部５４ｂの突起部５４ａを有さない側の端部に対して、カバー部５１の方向に力を加えることにより、本体部５４ｂが回動軸５４ｄを中心にして回動し、突起部５４ａの突出量が減少される。このように、本実施形態では、突起部５４ａが固定部５２の役割を果たしている。
【００４４】
着脱キャップ部材５Ｂを用いてノズル先端部材２Ｂをノズル本体３に取り付ける際には、まず、着脱キャップ部材５Ｂのハンドル部５４をつまむようにして力を加えることにより、突起部５４ａの突出量を減少させる。この状態を維持したまま、着脱キャップ部材５Ｂをノズル先端部材２Ａの先端部から装着して、ハンドル部５４に負荷した力を解放し、突起部５４ａと係合凹部２４とを係合させる。そして、着脱キャップ部材５Ｂと一緒にノズル先端部材２Ｂの係合突起部２２をノズル本体の溝部３４に挿入し、次いで、着脱キャップ部材５Ｂを固定用溝３４ｂに沿って回動させることによって、ノズル先端部材２Ａの第二突起部２２ｂを固定用溝３４ｂに嵌め込む。
【００４５】
ノズル先端部材２Ｂをノズル本体３に取り付けた後、着脱キャップ部材５Ｂは、ハンドル部５４をつまむようにして力を加えることにより、突起部５４ａの突出量を減少させて係合凹部２４との係合を解消して、ノズル先端部材２Ｂから取り外すことができる。
【００４６】
また、ノズル先端部材２Ｂをノズル本体３から取り外す際には、上述のようにして着脱キャップ部材５Ｂをノズル先端部材２Ｂに装着した後、着脱キャップ部材５Ｂを固定用溝３４ｂに沿って挿入溝３４ａの方向に回動させる。次いで、着脱キャップ部材５Ｂを、挿入溝３４ａに沿って引き抜くことによって、ノズル先端部材２Ｂの係合突起部２２を抜き去る。
【００４７】
このように、着脱キャップ部材５Ｂを用いることによって、ノズル先端部材２Ｂに直接触れることなく、ノズル先端部材２Ｂを着脱することができる。
【００４８】
次に、図５に示す第三の実施形態について説明する。
【００４９】
本実施形態において、着脱キャップ部材５Ｃは、天然ゴムや合成ゴム等の弾性体で形成されている。すなわち、本実施形態においては、カバー部５１が弾性体で形成されることにより、カバー部５１が固定部５２を構成している。
【００５０】
より具体的には、図５（ｂ）に示すように、ノズル先端部材２Ｃは、その外面に、着脱キャップ部材５Ｃのカバー部５１と接触するように形成された突起部２５を有している。突起部２５は、ノズル先端部材２Ｃの外面全体に渡って設けられていてもよく、また、部分的に間隔を空けて設けられていてもよい。
【００５１】
着脱キャップ部材５Ｃのカバー部５１は、開口している側の端部において、ノズル先端部材２Ｃに装着された際に突起部２５と接触する接触部５２Ｂを有している。
【００５２】
また、ノズル先端部材２Ｃには、図５（ｂ）に示すように、着脱キャップ部材５Ｃを装着した際の一体性をより高める目的で、その外面にパッキン材２６を設けてもよい。このとき、着脱キャップ部材５Ｃのカバー部５１は、その内面において、パッキン材２６の設置位置に対応する位置に、ノズル先端部材２Ｃに装着された際にパッキン材２６と接触する接触部５２Ｃを有している。
【００５３】
着脱キャップ部材５Ｃを用いてノズル先端部材２Ｃをノズル本体３に取り付ける際には、まず、着脱キャップ部材５Ｃをノズル先端部材２Ｃの先端部から装着して、突起部２５およびパッキン材２６とカバー部５１の接触部５２Ｂ、５２Ｃとを接触させる。そして、着脱キャップ部材５Ｃと一緒にノズル先端部材２Ｃの係合突起部２２をノズル本体の溝部３４に挿入し、次いで、着脱キャップ部材５Ｃを固定用溝３４ｂに沿って回動させることによって、ノズル先端部材２Ｃの第二突起部２２ｂを固定用溝３４ｂに嵌め込む。
【００５４】
ノズル先端部材２Ｃをノズル本体３に取り付けた後、着脱キャップ部材５Ｃは、例えば、ノズル先端部材２Ｃから引き抜くようにして取り外すことができる。ここで、本実施形態において、着脱キャップ部材５Ｃは、図５に示すように、開口していない側の端部の外面に、指掛かり部５６を有していてもよい。指掛かり部５６は、例えば、図５に示すように半円状とすることができる。例えば、着脱キャップ部材５Ｃをノズル先端部材２Ｃに装着した状態において、指掛かり部５６に指を掛けて引張ることによって、より容易にノズル先端部材２Ｃから着脱キャップ部材５Ｃを取り外すことができる。
【００５５】
また、ノズル先端部材２Ｃをノズル本体３から取り外す際には、上述のようにして着脱キャップ部材５Ｃをノズル先端部材２Ｃに装着した後、着脱キャップ部材５Ｃを固定用溝３４ｂに沿って挿入溝３４ａの方向に回動させる。次いで、着脱キャップ部材５Ｃを、挿入溝３４ａに沿って引き抜くことによって、ノズル先端部材２Ｃの係合突起部２２を抜き去る。
【００５６】
このように、着脱キャップ部材５Ｃを用いることによって、ノズル先端部材２Ｃに直接触れることなく、ノズル先端部材２Ｃを着脱することができる。
【００５７】
本実施形態に係る局部洗浄装置１は、水洗便器または洗浄便座に取り付けることができる。
【００５８】
例えば、図２（ａ）に示す水洗便器Ｘでは、局部洗浄装置１のノズル保持部材４が便器本体Ｘ１に設けられたノズル収納部Ｘ２に取り付けられている。ノズル収納部Ｘ２は、便器本体Ｘ１の内部に設けられており、水洗便器Ｘのボウル部（図示せず）と通じる空洞を有している。また、ノズル収納部Ｘ２は、便器本体Ｘ１の上面に形成された矩形の開口蓋Ｘ３によって、便器本体Ｘ１の外部と通じるように形成されている。
【００５９】
また、ノズル収納部Ｘ２には、ノズル保持部材４の動作を制御可能な切替制御機構（図示せず）が設けられている。ノズル保持部材４は、切替制御機構によって、ノズル本体（図示せず）に取り付けられたノズル先端部材２をノズル収納部Ｘ２の外部に露出させて保持する状態と、ノズル収納部Ｘ２の内部に収納して保持する状態とを切り替え可能とされている。
【００６０】
水洗便器Ｘの使用時、すなわち、局部洗浄装置１の使用時には、開口蓋Ｘ３は閉じられており、ノズル先端部材２はノズル収納部Ｘ２の内部に収納されている。そして、ノズル先端部材２は、前記空洞を通じてノズル収納部Ｘ２から水洗便器Ｘのボウル部に進出し、使用者の局部に向けて洗浄水を噴射する。
【００６１】
一方、ノズル先端部材２を取り付ける、もしくは取り外す場合には、開口蓋Ｘ３が開けられ、切替制御機構によってノズル保持部材４が回動し、ノズル先端部材２がノズル収納部Ｘ２の外部に露出される。
【００６２】
図２（ｂ）に示す洗浄便座Ｙでは、局部洗浄装置１のノズル保持部材４が洗浄便座Ｙに設けられたノズル収納部Ｙ１に取り付けられている。ノズル収納部Ｙ１は、洗浄便座Ｙの内部に設けられており、水洗便器Ｘのボウル部Ｚと通じる空洞を有している。また、ノズル収納部Ｙ１は、洗浄便座Ｙの上面に形成された矩形の開口蓋Ｙ２によって、洗浄便座Ｙの外部と通じるように形成されている。
【００６３】
また、ノズル収納部Ｙ１には、ノズル保持部材４の動作を制御可能な切替制御機構（図示せず）が設けられている。ノズル保持部材４は、切替制御機構によって、ノズル本体（図示せず）に取り付けられたノズル先端部材２をノズル収納部Ｙ１の外部に露出させて保持する状態と、ノズル収納部Ｙ１の内部に収納して保持する状態とを切り替え可能とされている。
【００６４】
洗浄便座Ｙの使用時、すなわち、局部洗浄装置１の使用時には、開口蓋Ｙ２は閉じられており、ノズル先端部材２はノズル収納部Ｙ１の内部に収納されている。そして、ノズル先端部材２は、前記空洞を通じてノズル収納部Ｙ１から水洗便器Ｘのボウル部Ｚに進出し、使用者の局部に向けて洗浄水を噴射する。
【００６５】
一方、ノズル先端部材２を取り付ける、もしくは取り外す場合には、開口蓋Ｙ２が開けられ、切替制御機構によってノズル保持部材４が回動し、ノズル先端部材２がノズル収納部Ｙ１の外部に露出される。
【００６６】
このように、本実施形態に係る局部洗浄装置１を備える水洗便器Ｘおよび洗浄便座Ｙにおいては、ノズル先端部材２が水洗便器Ｘまたは洗浄便座Ｙの外部に露出して保持された状態で、上述した着脱キャップ部材５を用いて簡便に着脱することができる。
【００６７】
以上、本発明の実施形態を詳述してきたが、具体的な形態はこれらの実施形態に限られるものではなく、本発明の要旨を逸脱しない範囲における設計の変更等があっても本発明に含まれる。
【符号の説明】
【００６８】
１  局部洗浄装置
２  ノズル先端部材
２１  噴射孔
２３  嵌合凹部
２４  係合凹部
３  ノズル本体
４  ノズル保持部材
５  着脱キャップ部材
５１  カバー部
５２  固定部
５２Ａ  嵌合凸部
５２Ｂ、５２Ｃ  接触部
５４  ハンドル部
５４ａ  突起部
Ｘ  水洗便器
Ｘ１  便器本体
Ｘ２  ノズル収納部
Ｙ  洗浄便座
Ｙ１  ノズル収納部
【図１】
2017020200.tif 000003
【図２】
2017020200.tif 000004
【図３】
2017020200.tif 000005
【図４】
2017020200.tif 000006
【図５】
2017020200.tif 000007